(57)【要約】【課題】外気を水の気化熱によって、効果的に室内へ送風するようにした冷風発生装置を提供する。【解決手段】送風機３のフレーム２前面に配された送水ホース８に細霧発生用スプレーノズル９を備えた噴霧装置５を設けると共に、枠体２の吹出口に縦長のスイングルーバー６により格子状に縦長に画成し、その上下端を可動リンク７により揺動自在に複数枚配置する。モーター１０が回動することで、スイングルーバー６が左右に揺動し、噴霧装置５から噴出される細霧Ｗは、左右方向に広角に拡散される。【選択図】  図１
2007139329.tif 000002
【特許請求の範囲】
【請求項１】
開口させた送風機のフレーム前面に配された送水管に細霧発生用スプレーノズルを備えると共に、前記開口部に左右に揺動する縦長状のスイングルーバーを複数枚配置したことを特徴とする冷風発生装置。
【発明の詳細な説明】
【技術分野】
【０００１】
本発明は、室外の暖気を冷却して室内に向けて送風するために使用される冷風発生装置に関するものであり、とくに工場や鶏舎、豚舎、牛舎等の畜産用建造物、あるいはビニールハウス等の園芸用建造物などの建物内を冷房する冷風発生装置に関するものである。
【背景技術】
【０００２】
従来、室外の暖気を冷却して室内に送るには、エアーコンディショナーが最も一般的に使用されている。また、製作および維持・運転コストの軽減を図るために、送風ファンの前面に送気方向と直交させて、通気性の含浸布を張設し、この含浸布を絶えず冷水で濡らすようにしたもの、あるいは送風機の前方に雨滴状の水幕を形成させたものもある。
【０００３】
また、枠体にコンプレッサーとコンデンサーとエバポレータとキャピュラリーとを設けて一体型にした冷風機が知られている。この冷風機はコンプレッサーで冷媒を圧縮し、加圧した冷媒はコンデンサーで放熱して液化し、キャピュラリーを介して液体の冷媒が送られるエボポレータでは冷媒は吸熱して気化し、気体になった冷媒が再びコンプレッサーで加圧されて循環するものである。そして、コンデンサーで通過する空気が高温になって排風ファンで排出され、エバポレータを通過する空気が冷却されて冷風ファンによって吹き出されるものである（例えば、特許文献１）。
【０００４】
この冷風機は枠体の前面から吹き出す冷風を利用するものであり、冷風吹出口にはスイングルーバーを取り付けて、風向きを左右に振ることで、扇風機の首振動作用と同じように冷風を作り出すことができる。しかし、枠体の背部の排気吹出口からは熱風が吹き出しているから、この熱風が廻り込んで冷風となる空気と混じることがあり、充分な冷風が得られないことがあった。このため、冷風機の排気吹出口を室外に向けて熱風がこもらないようにしたり、室外に近いところでは冷風機の排気吹出口に排風ダクトを付けて熱風を室外などに誘導することが行われている。
【０００５】
また、製造工場等の建物の屋根や壁の断熱が悪いと、日射の影響を受けて特に夏季において建物内部の温度が異常に高くなり、作業者の作業能率や安全性が大きく低下する場合がある。このため、建物内の空気を冷却する室内換気システムがあるが、従来は、一方の壁や窓に設置した冷却ユニットの冷却エレメントに上部から散水し、水の蒸発潜熱によって外気から流入した空気の温度を低下させて、建物内部に冷風を送り、建物内を通過した空気は、天井または他方の窓から排出させていた（例えば、特許文献２参照）。
【０００６】
【特許文献１】特開２０００−２４９３９１号公報
【特許文献２】特開２００４−３２４９９２号公報
【発明の開示】
【発明が解決しようとする課題】
【０００７】
しかしながら、工場、鶏舎、豚舎、牛舎等の畜産用建造物、あるいはビニールハウス等の園芸用建造物は、容量が大であると共に、一般的には密閉性が悪いため、その内部の温度を、エアーコンディショナーによって低下させるには、設備費及び運転費が著しく大となる。また、送風機の前面に雨滴状の水幕を形成させるものは、装置が大掛かりとなり、水やエネルギーの消費量も大きい。また、上記後者においては、暖かい外気の冷却は、主として冷水との熱交換によって行われるため、使用エネルギーや水の量に比して、冷却発生効果は低い。もっともこの際、水の一部が気化して、外気の熱を奪うこととなるが、その冷却効果は、全体的にみて、冷水との熱交換に比してきわめて小である。
【０００８】
さらに、上記後者によると、生成された冷気の湿度はかなり上昇するので、用途によっては適用することができず、また、この冷気を受ける者は、必ずしも快適であるとは言い難いという問題点もある。本発明は、上記のような従来の課題に鑑み、室外の暖気を、冷水と熱交換することなく、水の気化熱によって、効果的に室内へ送風するようにした冷風発生装置を提供することを目的とするものである。
【課題を解決するための手段】
【０００９】
このため本発明の冷風発生装置では、開口させた送風機の枠体前面に配された送水管に細霧発生用スプレーノズルを備えると共に、前記開口部に左右に揺動する縦長状のスイングルーバーを複数枚配置したことを特徴とする。
【発明の効果】
【００１０】
本発明は以上のように構成したので、次のような優れた効果がある。
（１）スプレーノズルから前方へ噴出される細霧は、送風機から送られる送風により十分に気化され、この気化熱により、送風は効果的に冷却される。
（２）水の気化に伴う潜熱を利用するものであるから、送水管へ供給される水の温度が必ずしも低くなくても、外気を効果的に冷却して、冷風を得ることができる。
（３）ルーバーを揺動させて、スプレーノズルから噴出する細霧を左右方向に広角に散布することができる。
【発明を実施するための最良の形態】
【００１１】
以下、図面に示す実施例に基づいて本発明の実施の形態を説明する。図１は本発明に係る冷風発生装置の一実施例を示す斜視図、図２は正面図、図３は図２の側面図、図４はルーバーの基端部分を示す要部斜視図、図５は回動カムリンク部分を示す要部斜視図である。
【実施例】
【００１２】
図１乃至図３に示すように、本発明の冷風発生装置１は、室内に外気を導入する送風機３と噴霧装置５とから構成されている。送風機３の背面側は、室外に向って開口し、かつそのファン４の前方に噴霧装置５が取付けられている。
【００１３】
噴霧装置５は、送風機３の前面に、先端が閉塞され、基端に水道水供給管が接続されている送水ホース８を、送風方向と直交させて取付け、且つこの送水ホース８の前面適所に、複数個のスプレーノズル９を、その吐出口を前方側にして取付けて構成されている。
【００１４】
噴霧装置５は、送風機３の矩形のフレーム２の前側における送風方向と直交する対向縁部に長尺のボルトに樹脂製バンドで締結固定されている。尚、送水ホース８は必ずしも１本とは限らず、複数を交差させたり並べたりして配設しても良い。また、スプレーノズル９はその吐出部におけるキャップのねじ込み等により、噴出する細霧の粒度を変化させることができ、且つその噴出速度並びに噴出角度を変更し得るものが望ましい。
【００１５】
枠体２の吹出口はスイングルーバー６により格子状に縦長に画成され、その上下端は可動リンク７によりフレーム２に揺動自在に取り付けられている。６はフレーム２の開口内に取り付けたスイングルーバー、１０はスイングルーバー６の上方のフレーム２に取り付けてスイングルーバー６を駆動するモーターである。
【００１６】
上記実施例の装置において、噴出する細霧の粒度が極力小さくなるように、かつ噴出速度、並びに噴出角度が好ましい値となるようにスプレーノズル９の吐出部を調節してから、圧力水を送水ホース８に送り込むと共に、送風機３のファン４を回転させる。すると、スプレーノズル９から噴出した細霧Ｗは、送風機３の前面に拡がり、且つこれに、送風機３により吸引されて吐出する外気が吹き付ける。そのため外気は、細霧と強制的に混合して、すべての細霧を完全に気化させ、その潜熱により、外気は急速に温度を低下させられてから室内に吹き込まれる。
【００１７】
図４乃至図５に示すように、モーター１０が回動することで、モーター軸の下端に設けられたカム１０ａが回動し、スイングルーバー６がカムリンク７ａを介して左右に揺動する。この時ファン４の風は扇風機の首振り運転時のように、吹き出し方向を左右に変化させるものである。すなわち、スイングルーバー１の左右の動きに応じて、噴霧Ｗが左右方向に変化する。
【００１８】
以上の構成により、噴霧装置５から噴出される細霧Ｗは、左右方向に広角に拡散され効率よく室内の冷却を行うことができる。
【図面の簡単な説明】
【００１９】
【図１】本発明に係る冷風発生装置の一実施例を示す斜視図である。
【図２】本発明に係る冷風発生装置の正面図である。
【図３】図２の左側面図である。
【図４】ルーバーの基端を示す要部斜視図である。
【図５】ルーバーの回動リンク部分を示す要部斜視図である。
【符号の説明】
【００２０】
１    冷風発生装置
２    フレーム
３    送風機
４    ファン
５    噴霧装置
６    スイングルーバー
７    可動リンク
７ａ  カムリンク
８    送水ホース
９    スプレーノズル
１０  モーター
１０ａカム
【図１】
2007139329.tif 000003
【図２】
2007139329.tif 000004
【図３】
2007139329.tif 000005
【図４】
2007139329.tif 000006
【図５】
2007139329.tif 000007